(57)【要約】【課題】  既築木造建築物の入り隅部を対象とした補強構造であり、特に、釘打ち等で既に接合されている筋交い材の入り隅部に対する結合強度を、大掛かりな工事をすることなく簡単な施工で補強することを可能にし、建物を地震力から守ることができる入り隅補強構造の提供。【解決手段】  入り隅部に入り隅補強金物２が取り付けられ、この入り隅補強金物には、梁１０と柱１１に締結される直角締結部２０と、この直角締結部との間に開口部２１を形成するように直角締結部の端部間に連結された斜辺部２２が形成され、筋交い材１２に筋交い接合金物３が取り付けられ、この筋交い接合金物には、入り隅補強金物の開口部に挿入して斜辺部に係合する突出部３０が形成されている。【選択図】  図２
2005351068.tif 000002
【特許請求の範囲】
【請求項１】
水平架構材と柱との入り隅部に筋交い材の上端が既に接合されている既築木造建築物の入り隅部を対象とした補強構造であって、
前記入り隅部に入り隅補強金物が取り付けられ、この入り隅補強金物には、水平架構材と柱に締結される直角締結部と、この直角締結部との間に開口部を形成するように直角締結部の端部間に連結された斜辺部が形成され、
前記筋交い材に筋交い接合金物が取り付けられ、この筋交い接合金物には、前記入り隅補強金物の開口部に挿入して斜辺部に係合する突出部が形成されていることを特徴とした既築木造建築物の入り隅補強構造。
【請求項２】
基礎の上に敷設された土台と柱との入り隅部に筋交い材の下端が既に接合されている既築木造建築物の入り隅部を対象とした補強構造であって、
前記入り隅部に入り隅補強金物が取り付けられ、この入り隅補強金物には、筋交い材に締結される筋交い締結部と、柱に締結される柱締結部と、前記土台の垂直側面及び／又は基礎の垂直側面に締結される取付締結部が形成されていることを特徴とした既築木造建築物の入り隅補強構造。
【請求項３】
基礎の上に敷設された土台と柱との入り隅部に筋交い材の下端が既に接合されている既築木造建築物の入り隅部を対象とした補強構造であって、
前記入り隅部に入り隅補強金物が取り付けられ、この入り隅補強金物は、補強本体金物と、この補強本体金物とは別体に形成された締結用金物を備え、
前記補強本体金物には、土台の上面に面したベース部と、筋交い材に締結される筋交い締結部と、柱に締結される柱締結部が形成され、
前記締結用金物には、前記補強本体金物のベース部を土台の上面に押し付ける押圧部と、前記土台の垂直側面及び／又は基礎の垂直側面に締結される取付締結部が形成されていることを特徴とした既築木造建築物の入り隅補強構造。
【請求項４】
請求項３記載の既築木造建築物の入り隅補強構造において、補強本体金物のベース部と、締結用金物の押圧部との滑りを防止するための係止手段が設けられている既築木造建築物の入り隅補強構造。
【発明の詳細な説明】
【技術分野】
【０００１】
本発明は、既築木造建築物の垂直構面の構造強度を向上させて、水平揺れに対する耐震補強を図るための構造に関わるものであり、特に、筋交い材が接合された既築木造建築物の入り隅部を対象とした補強構造に関する。
【背景技術】
【０００２】
「軸組木造住宅の地震被害が接合部の強度に大きく左右される」という見解が、多くの木造建築研究者の一致した意見であり、接合部の信頼性の高い強度向上の手段として、通称「Ｚマーク表示金物」と呼ばれる（財）日本住宅・木材技術センターが、１９７８年に定めた「軸組工法用金物規格」で規定された金物や、それに類似の火打ち金物や、筋交いプレート、山形プレート、かどプレート等の種々の金物が提供されていることは良く知られている。
【０００３】
しかしながら、前述の筋交いプレート、山形プレート、かどプレート等は、基本的に新築建築物を適用対象とした補強金物であり、これらを既築木造建築物に後施工で取り付けて補強するには、制約が多過ぎて現実には取り付けは非常に困難である。
【０００４】
又、入り隅部に補強金物を取り付けると共に、この補強金物に筋交い材の一端を結合させた入り隅部の補強構造が知られている（特許文献１参照）。
しかしながら、この補強構造は、新築木造建築物の入り隅部を対象とした補強構造であり、特に、筋交い材の入り隅部に対する接合構造は、筋交い材の端部を補強金物を介して入り隅部に接合しただけのもので、補強構造とは言えないし、このような補強構造を既築木造建築物の入り隅部を対象とした補強構造に適用することはできない。
【０００５】
また、壁量を多くする確実な手段として、面としての剛性を持つパネル材を壁部分に張り付けることも有効で、多くの剪断剛性が保証されたパネルが市販されているが、このようなパネルは、既築木造建築物に後施工で取り付けるには、内装や外装の変更が伴うのでコストがかかるという問題点がある。
【特許文献１】特開平８−３３８０７０号公報
【発明の開示】
【発明が解決しようとする課題】
【０００６】
本発明は、上記の点に鑑みてなされたもので、既築木造建築物の入り隅部を対象とした補強構造であり、特に、釘打ち等で既に接合されている筋交い材の入り隅部に対する結合強度を、大掛かりな工事をすることなく簡単な施工で補強することを可能にし、建物を地震力から守ることができる入り隅補強構造を提供することを課題としている。
【課題を解決するための手段】
【０００７】
上記の課題を解決するために、本発明（請求項１）の既築木造建築物の入り隅補強構造は、
水平架構材と柱との入り隅部（上側入り隅部）に筋交い材の上端が既に接合されている既築木造建築物の入り隅部を対象とした補強構造であって、
前記入り隅部に入り隅補強金物が取り付けられ、この入り隅補強金物には、水平架構材と柱に締結される直角締結部と、この直角締結部との間に開口部を形成するように直角締結部の端部間に連結された斜辺部が形成され、
前記筋交い材に筋交い接合金物が取り付けられ、この筋交い接合金物には、前記入り隅補強金物の開口部に挿入して斜辺部に係合する突出部が形成されている構成とした。
【０００８】
又、本発明（請求項２）の既築木造建築物の入り隅補強構造は、
基礎の上に敷設された土台と柱との入り隅部に筋交い材の下端が既に接合されている既築木造建築物の入り隅部（下側入り隅部）を対象とした補強構造であって、
前記入り隅部に入り隅補強金物が取り付けられ、この入り隅補強金物には、筋交い材に締結される筋交い締結部と、柱に締結される柱締結部と、前記土台の垂直側面及び／又は基礎の垂直側面に締結される取付締結部が形成されている構成とした。
【０００９】
又、本発明（請求項３）の既築木造建築物の入り隅補強構造は、
基礎の上に敷設された土台と柱との入り隅部（下側入り隅部）に筋交い材の下端が既に接合されている既築木造建築物の入り隅部を対象とした補強構造であって、
前記入り隅部に入り隅補強金物が取り付けられ、この入り隅補強金物は、補強本体金物と、この補強本体金物とは別体に形成された締結用金物を備え、
前記補強本体金物には、土台の上面に面したベース部と、筋交い材に締結される筋交い締結部と、柱に締結される柱締結部が形成され、
前記締結用金物には、前記補強本体金物のベース部を土台の上面に押し付ける押圧部と、前記土台の垂直側面及び／又は基礎の垂直側面に締結される取付締結部が形成されている構成とした。
【００１０】
又、本発明（請求項４）の既築木造建築物の入り隅補強構造は、
前記請求項３記載の既築木造建築物の入り隅補強構造において、補強本体金物のベース部と、締結用金物の押圧部との滑りを防止するための係止手段が設けられている態様とした。
【発明の効果】
【００１１】
本発明の補強構造は、既築木造建築物の入り隅部を対象とした補強構造であり、特に、釘打ち等で既に接合されている筋交い材の入り隅部に対する結合強度を、大掛かりな工事をすることなく簡単な施工で補強することが可能となり、建物を地震力から守ることができる。
即ち、入り隅部を構成する水平架構材と柱、又は土台と柱の接合強度を入り隅補強金物で補強すると共に、入り隅部に対する筋交い材の結合強度を入り隅補強金物で補強できる。
【００１２】
又、請求項１の補強構造にあっては、筋交い接合金物の突出部を入り隅補強金物の開口部に挿入して斜辺部に係合させるようにしているため、施工が簡単になる。
【００１３】
又、請求項２及び請求項３の補強構造にあっては、取付締結部を土台の垂直側面及び／又は基礎の垂直側面に締結させるため、入り隅補強金物の取り付けが容易にできる。
即ち、既築木造建築物では、土台の上方には根太や床板等が敷設されていることが多く、土台の上方空間が狭くなって、土台の上面に補強金物を取り付けることが困難な場合が多い。これに対し、本発明の補強構造では、取付締結部を土台の垂直側面及び／又は基礎の垂直側面に締結させるため、入り隅補強金物の取り付けが容易になる。
【００１４】
又、請求項３の補強構造にあっては、補強本体金物とは別体に形成された締結用金物を備え、この締結用金物に形成した押圧部によって補強本体金物のベース部を土台の上面に押し付けるようにしたため、土台の上方空間が狭い場合でも補強本体金物を土台の上面に押圧力で取り付けておくことができ、土台の上面から補強本体金物が浮き上がるのを防止できる。
【００１５】
又、請求項４の補強構造にあっては、係止手段によって、補強本体金物のベース部と締結用金物の押圧部との滑りを防止することができる。
【００１６】
以上のように、本発明の補強構造は、地震力や風力による水平力が建築物に加わった時に軸組の経年変化によって緩んだ入り隅部と筋交いの集合した仕口部への補強が可能になり、在来の工法で建造された既築木造建築物の筋交い接合部を固めて、木造建築物を補強できる。
しかも、本発明の補強構造は、その補強工事において、足場を築いたり、外壁を外したりすることなく、建物の内側から施工することができるので、工事費用が安く、更には、部分的な補強も可能である等の利点もある。
【発明を実施するための最良の形態】
【００１７】
図１は本発明の既築木造建築物の入り隅補強構造の実施例を示す全体正面図、図２は請求項１に対応した上側入り隅部の補強構造を示す正面図、図３はその断面図、図４は請求項２に対応した下側入り隅部の補強構造を示す斜視図である。
【００１８】
この実施例では、梁１０（水平架構材）と柱１１との入り隅部に筋交い材１２の上端が釘打ち等で既に接合されている上側入り隅部Ａと、基礎１３の上に敷設された土台１４と柱１１との入り隅部に筋交い材１２の下端が釘打ち等で既に接合されている下側入り隅部Ｂを対象とした補強構造が形成されている。
【００１９】
前記上側入り隅部Ａは、梁１０と柱１１との入り隅部に筋交い材１２の上端が釘打ち（図示省略）等で既に接合され、この上側入り隅部Ａに入り隅補強金物２が取り付けられると共に、前記筋交い材１２に筋交い接合金物３が取り付けられている。
【００２０】
前記入り隅補強金物２は、鋼やステンレス等の金属板により一体成形されたもので、梁１０と柱１１に締結される直角締結部２０と、この直角締結部２０との間に略三角形状の開口部２１を形成するように直角締結部２０の端部間に連結された斜辺部２２が形成されている。
この場合、直角締結部２０の片側縁からフランジ部２３が直角に立ち上げられ、このフランジ部２３と同一平面上に斜辺部２２が形成され、又、前記開口部２１の周縁に補強用リブ２４ａが立設されると共に、斜辺部２２の外縁には補強用リブ２４ｂが立設されている。
そして、上側入り隅部において、前記直角締結部２０を梁１０と柱１１にあてがい、この直角締結部２０に形成した取付穴２５から釘やスクリュー２６を梁１０と柱１１に打ち込むことで、梁１０と柱１１との接合強度を補強するようにしている。
【００２１】
前記筋交い接合金物３は、前記入り隅補強金物２の開口部２１に挿入して斜辺部２２の係合する内側突出部３０と、前記斜辺部２２の外縁に係合する外側突出部３１が基板３２の片面に溶接されて、前記内側突出部３０と外側突出部３１とで斜辺部２２を挟んで、前記基板３２が斜辺部２２の上を跨ぐ状態で筋交い材１２に取り付けられる。
この場合、基板３２の上縁部分には、入り隅補強金物２における開口部２１の補強用リブ２４ａに被さるように張出部３２ａが形成されている。
【００２２】
このようにして筋交い接合金物３を、釘やスクリュー３３によって筋交い材１２に取り付けるもので、このとき、筋交い接合金物３に設けた内側突出部３０を開口部２１に挿入して斜辺部２２に係合させているため、筋交い材１２を引っ張る方向の力が加わった場合に、その引張力を内側突出部３０と斜辺部２２との係合によって受け止めることができる。
又、筋交い材１２を圧縮する方向の力が加わった場合には、その圧縮力を外側突出部３１と斜辺部２２との係合によって受け止めることができる。
又、基板３２の上端縁部分に張出部３２ａを形成させているため、この張出部３２ａが補強用リブ２４ａに当接して荷重を受け止めることができ、斜辺部２２に集中する荷重を分散させて、この斜辺部２２の耐力を向上させることができる。
なお、外側突出部３１は、スペースの制約上、取り付けが困難であれば、必ずしも取り付けなくてもよい。これは、圧縮に対しては、既存の筋交い材が機能するためであり、従って、外側突出部３１は、有っても無くてもよい。
【００２３】
なお、図１３及び図１４に示すように、基板３２の周縁部分に、入り隅補強金物２における開口部２１の補強用リブ２４ａに大きく張り出して被さるように張出部３２ａを形成させ、この張出部３２ａの内面に入り隅補強金物２のフランジ部２３を押え付けるための金物押え３２ｂを突設させることができる。
入り隅補強金物２は、その成形条件によって、補強用リブ２４ａの高さが均一でない場合があり、金物によっては、内側突出部３０が筋交い材１２と当接する前に張出部３２ａが補強用リブ２４ａと当接してしまい、内側突出部３０が浮いた状態になることがある。
このような内側突出部３０の浮きを防止するために、前記金物押え３２ｂを設けて、この金物押えにより、入り隅補強金物２のフランジ部２３を押え付けるようにしている。
又、地震等による揺れによってかかる力は、図１で示した構面の前後方向（紙面表裏方向）だけでなく、ねじれる力も働くもので、このとき、金物押え３２ｂを設けておくと、ねじれに対する耐力を向上させることができる。
【００２４】
上側入り隅部Ａの補強構造を施工した後と、補強構造を施工する前の平均耐力（引張荷重と圧縮荷重を足して２で割ったもの）の最大値を測定したところ、図５に示すように、補強構造を施工する前は略０．８ｋＮであったが、補強構造を施工した後は略２．４ｋＮになり、補強構造によって、上側入り隅部Ａの接合強度及び筋交い材１２の接合強度を大幅に向上させることができた。
【００２５】
なお、筋交い材１２の取付角度は、図２の実線で示す筋交い材１２、一点鎖線で示す筋交い材１２ａ，１２ｂで示すように、場所によって異なるもので、このような取付角度が異なる場合でも、筋交い接合金物３を筋交い材１２に確実に取り付けることができるように、筋交い接合金物３に複数個の取付穴３４を形成させている。
【００２６】
従って、上記した上側入り隅部Ａの補強構造では、上側入り隅部Ａを構成する梁１０と柱１１の接合強度を入り隅補強金物２で補強できると共に、上側入り隅部Ａに対する筋交い材１２の結合強度を筋交い接合金物３で補強できる。
【００２７】
次に、前記下側入り隅部Ｂは、基礎１３の上に敷設された土台１４と柱１１との入り隅部に筋交い材１２の下端が釘打ち（図示省略）等で既に接合され、この下側入り隅部Ｂに入り隅補強金物４が取り付けられている。
【００２８】
前記入り隅補強金物４は、鋼やステンレス等の金属板により一体成形されたもので、筋交い材１２の下端部に締結される筋交い締結部４０と、柱１１に締結される柱締結部４１と、前記土台１４の垂直側面１４ａ及び基礎１３の垂直側面１３ａに締結される取付締結部４２とが形成されている。
この場合、前記筋交い締結部４０及び柱締結部４１は、土台１４の上面１４ｂに当接されるベース部４３の縁部から上向きに立ち上げられた垂直面に形成され、前記取付締結部４２はベース部４３の縁部から下向きに垂設されれた垂直面に形成され、これらの筋交い締結部４０、柱締結部４１、取付締結部４２には、それぞれに取付穴４４が形成されている。
【００２９】
そして、前記ベース部４３を土台１４の上面１４ｂに当接させて、筋交い締結部４０を筋交い材１２にあてがうと共に柱締結部４１を柱１１にあてがい、取付締結部４２を土台１４の垂直側面１４ａ及び基礎１３の垂直側面１３ａにあてがった状態で、各取付穴４４から釘やスクリューを打ち込むことで、入り隅補強金物４により土台１４、柱１１、筋交い材１２、基礎１３を結合させて、その接合強度を補強するようにしている。
なお、前記取付締結部４２は、土台１４の垂直側面１４ａ又は基礎１３の垂直側面１３ａのいずれかに取り付けるようにしてもよい。
【００３０】
従って、上記した下側入り隅部Ｂの補強構造では、入り隅補強金物４によって、下側入り隅部Ｂを構成する土台１４と柱１１、及び筋交い材１２の接合強度を補強することができる。
【００３１】
なお、既築木造建築物では、土台１４の上方には根太や床板等が敷設されていることが多く、土台１４の上方空間が狭くなって、土台１４の上方から下向きの打ち込み作業で補強金物を取り付けることが困難な場合が多い。
これに対し、上記の補強構造では、取付締結部４２を土台１４の垂直側面１４ａ及び基礎１３の垂直側面１３ａに締結させるため、横方向からの打ち込み作業で入り隅補強金物４を取り付けることが可能になり、土台１４の上方空間が狭い場合でも、入り隅補強金物４を取り付けることが可能になり、取り付け施工が容易になる。
【００３２】
次に、図６は請求項３に対応した下側入り隅部Ｂの補強構造を示す斜視図で、この場合、下側入り隅部Ｂに入り隅補強金物５が取り付けられ、この入り隅補強金物５が、補強本体金物５ａと、この補強本体金物５ａとは別体に形成された締結用金物５ｂで形成されている。
【００３３】
前記補強本体金物５ａは、鋼やステンレス等の金属板により一体成形されたもので、土台１４の上面１４ｂに対向するベース部５２と、筋交い材１２に締結される筋交い締結部５０と、柱１１に締結される柱締結部５１が形成されている。
この場合、前記筋交い締結部５０及び柱締結部５１は、ベース部５２の縁部から上向きに立ち上げられた垂直面に形成され、この筋交い締結部５０及び柱締結部５１には、それぞれに取付穴５３が形成されている。
【００３４】
前記締結用金物５ｂは、鋼やステンレス等の金属板により一体成形されたもので、前記補強本体金物５ａのベース部５２の上面５２ａを上から押え付けて土台１４の上面１４ｂに押し付ける押圧部５４と、前記土台１４の垂直側面１４ａ及び基礎１３の垂直側面１３ａに締結される取付締結部５５が形成されている。
この場合、押圧部５４と取付締結部５５とは直角に曲げ形成され、又、取付締結部５５には取付穴５６が形成されている。
【００３５】
そして、前記補強本体金物５ａのベース部５２を土台１４の上面１４ｂに当接させて、筋交い締結部５０を筋交い材１２にあてがうと共に柱締結部５１を柱１１にあてがった状態で、取付穴５３から釘やスクリューを打ち込むことで、補強本体金物５ａを取り付ける。
このようにして補強本体金物５ａを取り付けたのち、締結用金物５ｂの押圧部５４で補強本体金物５ａのベース部５２の上面５２ａを上から押え付けて土台１４の上面１４ｂに押し付ける状態で、前記取付締結部５５を土台１４の垂直側面１４ａ及び基礎１３の垂直側面１３ａに各取付穴５６から釘やスクリューを打ち込むことで取り付けるものである。
なお、前記取付締結部５５は、土台１４の垂直側面１４ａ又は基礎１３の垂直側面１３ａのいずれかに取り付けるようにしてもよい。
【００３６】
従って、この補強構造では、補強本体金物５ａとは別体に形成された締結用金物５ｂを備え、この締結用金物５ｂに形成した押圧部５４によって補強本体金物５ａを土台１４の上面１４ｂに押し付けるようにしたため、土台１４の上方空間が狭い場合でも補強本体金物５ａを土台１４の上面１４ｂに押圧力で取り付けておくことができ、土台１４の上面１４ｂから補強本体金物５ａが浮き上がるのを防止できる。
また、補強本体金物５ａのみの状態で筋交い材１２と柱１１への取り付け作業が行えるので、作業が容易である。
また、補強本体金物５ａと締結用金物５ｂとが別部材であるため、押圧部５４のベース部５２に対する重合代を変えることが可能になり、筋交い材１２の厚みが違う場合や取り付け位置にズレがある場合の対応が可能である。
【００３７】
次に、図７は請求項４に対応した下側入り隅部Ｂの補強構造を示す斜視図で、前記図６の下側入り隅部Ｂの補強構造において、補強本体金物５ａのベース部５２と、締結用金物５ｂの押圧部５４との滑りを防止するための係止手段が設けられている。
【００３８】
実施例の係止手段は、ベース部５２及び押圧部５４に係止穴５７ａ，５７ｂを形成し、ベース部５２の上に押圧部５４を重合させたときに両係止穴５７ａ，５７ｂを符合させて、係止ピン５７ｃを嵌め込むようにした係止手段を用いている。
なお、係止手段としては、例えば、ベース部５２（又は押圧部）に係止凹部（係止穴でもよい）を形成させ、他方、押圧部５４（又はベース部）に係止突起を形成して、この係止突起を係止凹部（係止穴）に係合させるようにした係止手段を用いることができる。
【００３９】
次に、図８は土台１４，１４が直角に配置された出隅部に前記図７の補強構造を適用した場合の下側入り隅部Ｂの補強構造を示す斜視図である。
この実施例では、一方の土台１４と柱１１との入り隅部、及び他方の土台１４と柱１１との入り隅部に、それぞれ係止手段を有する入り隅補強金物５，５を取り付けている。
このように、出隅部に２個の入り隅補強金物５，５を取り付けると、両入り隅補強金物５，５の締結用金物５ｂ，５ｂ同士が干渉することがある。
【００４０】
そこで、一方の入り隅補強金物５（図８では右側の入り隅補強金物）における補強本体金物５ａのベース部５２に、係止手段としての複数（図８では３個）の係止穴５７ａ，５７ａ，５７ａを左右方向（土台の長さ方向）にずらして形成して、この複数個の係止穴５７ａ，５７ａ，５７ａの中から選択した一つの係止穴５７ａに押圧部５４の係止穴５７ｂを符合させ、これに係止ピン５７ｃを嵌め込むことで、締結用金物５ｂ，５ｂ同士の干渉を防止させている。なお、係止穴５７ａの数は、２個でもよいし、４個以上でもよい。
【００４１】
次に、図９は入り隅補強金物５における締結用金物５ｂの他例を示す断面図である。
この締結用金物５ｂは、押圧部５４の外面に筒状体５４ａを固定させ、かつ取付締結部５５の外面に筒状体５５ａを固定させて、締結用金物５ｂの全体強度を向上させたものになっている。
【００４２】
図１０は前記図９で示した締結用金物５ｂ，５ｂを用いた２個の入り隅補強金物５，５を、前記図８と同様に、土台１４，１４が直角に配置された出隅部に適用した場合の下側入り隅部Ｂの補強構造を示す平面図である。
【００４３】
この場合、一方の土台１４と柱１１との入り隅部、及び他方の土台１４と柱１１との入り隅部に、それぞれ入り隅補強金物５，５を取り付けている。
このとき、前記図９で示したように、取付締結部５５の外面に筒状体５５ａを固定した締結用金物５ｂを用いると、この締結用金物５ｂ，５ｂ同士が干渉することがある。
【００４４】
そこで、筒状体５５ａの角部に面取り部５５ｂを形成して、締結用金物５ｂ，５ｂ同士の干渉を防止させている。
【００４５】
なお、図１１は前記図８における補強本体金物５ａに形成した係止手段としての係止穴５７ａの他例を示す平面図、図１２は前記図１０における締結用金物５ｂに形成した係止手段としての係止穴５７ｂの他例を示す平面図である。
この図１１及び図１２に示すように、複数の係止穴５７ａ，５７ｂが左右方向及び前後方向（土台の幅方向）にずれるように斜め方向にずらして形成することができる。
このように、複数の係止穴５７ａ，５７ｂを斜め方向にずらして形成すると、筋交い材１２の厚み、土台１４、基礎１３、柱１１、根太掛け等の存在により連結位置が左右方向及び前後方向にずれた場合にも対応することができる。
又、複数の係止穴５７ａ，５７ｂをずらして形成する場合、各係止穴５７ａ，５７ｂを独立して形成してもよいし、図１１及び図１２のように、隣合う係止穴５７ａ，５７ａ同士、隣合う係止穴５７ｂ，５７ｂ同士が連続するように形成してもよい。
【００４６】
なお、本発明において、入り隅補強金物、筋交い接合金物、補強本体金物、締結用金物の取り付けに際し、釘やスクリューの打ち込みと接着剤による接着を併用することもできる。
また、柱と梁の仕口部の経年による弛み対応などのため、筋交い材の無い部分の柱と梁などの横架材の仕口部を既存の金物で補強締結することも重要であり、特に、モーメント耐力を持っている、いわゆる三角状入り隅金物との併用が好ましい。
また、２階以上の建物では、地震時の負荷は１階に一番多くかかるので、１階の垂直構面の補強が最も重要で効果もある。もちろん、平屋においても同様の補強構成とでき、効果を発揮する。
又、筋交い材と入り隅補強金物４，５ａ（筋交い締結部４０，５０）とをスクリュー等で締結する際に、筋交い材と入り隅補強金物との間に鉄板を介在させることで、スクリュー等による締結で筋交い材が割れるのを防止できる。なお、この鉄板は、予め入り隅補強金物の筋交い締結部４０、５０に接着しておくのが好ましい。
【図面の簡単な説明】
【００４７】
【図１】本発明の既築木造建築物の入り隅補強構造の実施例を示す全体正面図である。
【図２】請求項１に対応した上側入り隅部の補強構造を示す正面図である。
【図３】その断面図である。
【図４】請求項２に対応した下側入り隅部の補強構造を示す斜視図である。
【図５】補強構造を施工した後と、補強構造を施工する前の最大平均荷重を測定した実験結果を示す図である。
【図６】請求項３に対応した下側入り隅部Ｂの補強構造を示す斜視図である。
【図７】請求項４に対応した下側入り隅部Ｂの補強構造を示す斜視図である。
【図８】土台１４，１４が直角に配置された出隅部に前記図７の補強構造を適用した場合の下側入り隅部Ｂの補強構造を示す斜視図である。
【図９】入り隅補強金物５における締結用金物５ｂの他例を示す断面図である。
【図１０】図９で示した締結用金物５ｂ，５ｂを用いた２個の入り隅補強金物５，５を、土台１４，１４が直角に配置された出隅部に適用した場合の下側入り隅部Ｂの補強構造を示す平面図である。
【図１１】前記図８における補強本体金物５ａに形成した係止手段としての係止穴５７ａの他例を示す平面図である。
【図１２】前記図１０における補強本体金物５ａに形成した係止手段としての係止穴５７ａの他例を示す平面図である。
【図１３】上側入り隅部の補強構造を示す正面図である。
【図１４】その断面図である。
【符号の説明】
【００４８】
１０  梁（水平架構材）
１１  柱
１２  筋交い材
１２ａ  筋交い材
１２ｂ  筋交い材
１３  基礎
１３ａ  垂直側面
１４  土台
１４ａ  垂直側面
１４ｂ  上面
２  入り隅補強金物
２０  直角締結部
２１  開口部
２２  斜辺部
２３  フランジ部
２４ａ  補強用リブ
２４ｂ  補強用リブ
２５  取付穴
２６  スクリュー
３  筋交い接合金物
３０  内側突出部（突出部）
３１  外側突出部
３２  基板
３２ａ  張出部
３２ｂ  金物押え
３３  スクリュー
３４  取付穴
４  入り隅補強金物
４０  筋交い締結部
４１  柱締結部
４２  取付締結部
４３  ベース部
４４  取付穴
５  入り隅補強金物
５ａ  補強本体金物
５ｂ  締結用金物
５０  筋交い締結部
５１  柱締結部
５２  ベース部
５２ａ  上面
５３  取付穴
５４  押圧部
５４ａ  筒状体
５５  取付締結部
５５ａ  筒状体
５５ｂ  面取り部
５６  取付穴
５７ａ  係止穴（係止手段）
５７ｂ  係止穴（係止手段）
５７ｃ  係止ピン（係止手段）
Ａ  上側入り隅部
Ｂ  下側入り隅部
【図１】
2005351068.tif 000003
【図２】
2005351068.tif 000004
【図３】
2005351068.tif 000005
【図４】
2005351068.tif 000006
【図５】
2005351068.tif 000007
【図６】
2005351068.tif 000008
【図７】
2005351068.tif 000009
【図８】
2005351068.tif 000010
【図９】
2005351068.tif 000011
【図１０】
2005351068.tif 000012
【図１１】
2005351068.tif 000013
【図１２】
2005351068.tif 000014
【図１３】
2005351068.tif 000015
【図１４】
2005351068.tif 000016